(57)【要約】【課題】  冷媒管や電線等を商品収納室の底板や仕切り板等を通じて引き回す際の封止作業を簡単且つ確実に行って、各単位室内の商品温度の変動やエネルギーコストの増加を確実に防止できる自動販売機を提供する。【解決手段】  冷媒管ＰＩに取り付けた封止部材１９を底板１ｂの取付凹部１ｂ１に圧縮状態で押し込んでからパッキン取付部材１６を底板１ｂに取り付けることにより、封止部材１９を冷媒管ＰＩと一緒に底板１ｂに組み込むことができると共に、組み込み状態では封止部材１９の外周面を取付凹部１ｂ１の内面とパッキン取付部材１６に密着させて取付凹部１ｂ１を完全に封止できる。また、電線ＣＡに取り付けた封止部材１８を仕切り板１３の取付凹部１３ａに圧縮状態で押し込んでからパッキン取付部材１４を仕切り板１３に取り付けることにより、封止部材１８を電線ＣＡと一緒に仕切り板１３に組み込むことができると共に、組み込み状態では封止部材１８の外周面を取付凹部１３ａの内面とパッキン取付部材１４に密着させて取付凹部１３ａを完全に封止できる。【選択図】  図３
2005135261.tif 000002
【特許請求の範囲】
【請求項１】
断熱室相互または断熱室と他の室との間における電線や冷媒管等の引き回しを、両室間の断熱壁に設けられた通路に、電線や冷媒管等の周囲に設けた弾性封止部材を嵌め込むことによって行う自動販売機であって、
前記封止部材として、弾性材料から柱状に形成され、電線や冷媒管等を保持する貫通孔を中心に有すると共に貫通孔から外周面に至る渦巻き状スリットを有するものを用い、
電線や冷媒管等を渦巻き状スリットの外周端から該スリットに沿って内側に移動させて貫通孔に到達させることにより前記封止部材を電線や冷媒管等に取り付け、この封止部材を前記通路に圧縮状態で嵌め込んで取り付けた、
ことを特徴とする自動販売機。
【請求項２】
前記通路は、一端を開放した取付凹部とその開放端を閉塞する部品とから構成されている、
ことを特徴とする請求項１に記載の自動販売機。
【請求項３】
前記断熱壁は、商品収納室の底板または商品収納室を左右に並ぶ複数の単位室に区分する仕切り板である、
ことを特徴とする請求項１または２に記載の自動販売機。
【発明の詳細な説明】
【技術分野】
【０００１】
本発明は、収納商品を冷却状態，加温状態または非冷却・加温状態で販売可能な自動販売機に関する。
【背景技術】
【０００２】
この種の自動販売機は、断熱性の商品収納室と、商品収納室の前面開口を開閉自在に覆う断熱性の内扉と、商品収納室を左右に並ぶ複数の単位室に区分する１乃至複数の断熱性の仕切り板と、各単位室に配置されたサーペンタイン式等の商品収納ラックと、各単位室に配置され商品収納ラックに収納された商品を冷却または加温する冷却・加温装置（冷凍機の蒸発器及び電熱ヒータ等を含む）とを備えている。この自動販売機では、各単位室が独立の断熱室を構成し、しかも、各単位室に冷却・加温装置が独立して設けられていることから、単位室毎に冷却と加温と非冷却・加温の３つのモードの何れか１つを任意に選択して実施することができる。
【０００３】
前述の自動販売機は商品収納室の底板の下側に機械室を備えていて、蒸発器以外の冷凍機器や電源ユニット等がこの機械室内に配置されているため、機械室内の冷凍機器と各単位室内の蒸発器を接続するための冷媒管を引き回すための通路や、機械室内の電源ユニットと各単位室内の電熱ヒータとを接続するための電線や電源ユニットと各商品収納ラックの搬出機構の駆動源とを接続する電線を引き回すための通路を、商品収納室の底板と各仕切り板にそれぞれ形成する必要がある。
【０００４】
しかし、配管後の通路や配線後の通路に隙間が存すると、各単位室が断熱室を構成しているにも拘わらず、この隙間を通じて単位室と機械室との間や隣接する単位室間で熱交換が行われ、これにより、各単位室内の商品温度に変動が生じたり、各単位室内の熱負荷が増加して特に冷却モードや加温モードを実施している際のエネルギーコストが増加する不具合がある。
【０００５】
この不具合を防止するため、従来では、配管及び配線後に前記隙間をパテ等の封止材で塞ぐ作業が実施されているが、封止作業に時間がかかると共に十分な封止が行えないことから、最近では、特開２００３−１５１０２４号公報に見られるように、冷媒管にクッション材を巻き付けてこれを通路に嵌め込んで取り付けるようにしたものが提案されている。
【特許文献１】特開２００３−１５１０２４号公報
【発明の開示】
【発明が解決しようとする課題】
【０００６】
特開２００３−１５１０２４号公報に開示されたものは、半硬質層とこれよりも長い軟質層とから成る２層構造の帯状クッション材を軟質層が冷媒管に接するように巻き付けてから配管溝に嵌め込むようにしたものであるが、嵌め込み時には半硬質層の外面が配管溝の内面と接するようにする必要があるため位置合わせに手間を要するし、また、半硬質層の長さと配管溝の内面長とが一致していないと或いは軟質層の長さが冷媒管の周囲長に合わずに段差が形成されると嵌め込み後に隙間が生じる恐れがある。
【０００７】
本発明は前記事情に鑑みて創作されたもので、その目的とするところは、冷媒管や電線等を商品収納室の底板や仕切り板等を通じて引き回す際の封止作業を簡単且つ確実に行って、各単位室内の商品温度の変動やエネルギーコストの増加を確実に防止できる自動販売機を提供することにある。
【課題を解決するための手段】
【０００８】
前記目的を達成するため、本発明は、断熱室相互または断熱室と他の室との間における電線や冷媒管等の引き回しを、両室間の断熱壁に設けられた通路に、電線や冷媒管等の周囲に設けた弾性封止部材を嵌め込むことによって行う自動販売機であって、前記封止部材として、弾性材料から柱状に形成され、電線や冷媒管等を保持する貫通孔を中心に有すると共に貫通孔から外周面に至る渦巻き状スリットを有するものを用い、電線や冷媒管等を渦巻き状スリットの外周端から該スリットに沿って内側に移動させて貫通孔に到達させることにより前記封止部材を電線や冷媒管等に取り付け、この封止部材を前記通路に圧縮状態で嵌め込んで取り付けた、ことをその特徴とする。
【発明の効果】
【０００９】
本発明によれば、冷媒管や電線等を商品収納室の底板や仕切り板等を通じて引き回す際の封止作業を簡単且つ確実に行って、各単位室内の商品温度の変動やエネルギーコストの増加を確実に防止することができる。
【００１０】
本発明の前記目的とそれ以外の目的と、構成特徴と、作用効果は、以下の説明と添付図面によって明らかとなる。
【発明を実施するための最良の形態】
【００１１】
以下の説明では、説明の便宜上、図１の左側を前、右側を後、手前側を左、奥側を右と表記する。
【００１２】
図１及び図２は本発明を適用可能な自動販売機を一例を示すもので、図１は自動販売機の側面断面図、図２は図１のａ−ａ線断面図である。
【００１３】
図１及び図２における符号１はキャビネット、２は商品収納ラック、３はシュート板、４はダクト板、５は蒸発器、６は電熱ヒータ、７は送風機、８は凝縮器、９は圧縮機、１０は送風機、１１は内扉、１２は外扉、１３は仕切り板である。
【００１４】
キャビネット１は前面を開口した箱形を成し、前面を開口した断熱性内箱１ａをその内側に備えている。内箱１ａの内部空間は商品収納室（符号無し）となっていて、この商品収納室は３枚の断熱性仕切り板１３によって左右に並ぶ４つの単位室ＳＲに区分されており、各単位室ＳＲは後述の内扉１１を閉じた状態で独立した断熱室を構成する。因みに、実際のものでは仕切り板１３を抜き差し自在に取り付けるためのレールが商品収納室の上下面に設けられているがここではその図示を省略してある。
【００１５】
また、内箱１ａの前側には商品収納室（各単位室ＳＲ）の前面開口を開閉自在に覆う断熱性内扉１１が設けられており、内箱１ａの上下左右の前端部（下側の前端部は底板１ｂの前端部）と各仕切り板１３の前端部には内扉１１を閉じた状態で商品収納室（各単位室ＳＲ）を気密状態とするためのパッキン（符号無し）が設けられている。
【００１６】
さらに、内箱１ａの底板１ｂの下側には機械室ＭＲが設けられ、該機械室ＭＲ内には冷凍機を構成する機器のうちの凝縮器８，圧縮機９，膨張手段（図示省略）及び排熱用送風機１０等が設けられている。
【００１７】
各単位室ＳＲ内にはシュート板３とダクト板４が配置され、その下側及び背面側の空間には冷凍機を構成する機器のうちの蒸発器５，電熱ヒータ６，冷却・加温空気循環用送風機７等が配置されており、ダクト板４の背面側空間はダクトＤとして構成されている。
【００１８】
また、各単位室ＳＲ内には、サーペンタイン式の商品収納ラック２が配置されている。この商品収納ラック２は前面側上部に商品補充口２ａを有し蛇行状の収納通路２ｂに缶入り飲料，瓶入り飲料，ペットボトル入り飲料等の商品Ｃを横向きで積み重ねた状態で収納している。さらに、商品収納ラック２の下部には収納商品Ｃを１個宛シュート板３上に落下搬出するための搬出機構２ｃが設けられている。
【００１９】
この自動販売機では、各単位室ＳＲが独立の断熱室を構成し、しかも、各単位室ＳＲに蒸発器５と電熱ヒータ６が独立して設けられていることから、単位室ＳＲ毎に冷却と加温と非冷却・加温の３つのモードの何れか１つを任意に選択して実施することができる。
【００２０】
内扉１１の下部には各単位室ＳＲのシュート板３に対応した窓穴１１ａが複数個形成され、各窓穴１１ａにはシュート板３を滑り落ちる商品Ｃによって押し開けられるフラップドア１１ｂが設けられている。外扉１２には商品取出口１２ａとフラップドア１１ｂからの商品Ｃを受容する商品受け板１２ｂが設けられており、搬出商品Ｃは商品取出口１２ａに設けられたフラップドア（図示省略）を開けることにより外部に取り出すことができる。
【００２１】
図３〜図７は前述の自動販売機に本発明を適用した具体例を示すもので、図３は配線・配管部分の斜視図、図４は図３の分解斜視図、図５（Ａ）〜図５（Ｃ）は冷媒管と電線（ここでは複数の電線を内蔵したケーブルを指す）を封止部材に取り付ける手順を示す図、図６（Ａ）〜図６（Ｂ）は冷媒管に取り付けた封止部材を底板に組み込む手順を示す図、図７（Ａ）〜図７（Ｃ）は電線に取り付けた封止部材を仕切り板に組み込む手順を示す図である。
【００２２】
図３〜図７における符号１４は仕切り板用パッキン取付部材、１５は仕切り板用パッキン取付部材１４に設けられた仕切り板用パッキン、１６は底板用パッキン取付部材、１７は底板用パッキン取付部材に設けられた底板用パッキン、ＣＡは電線、１８は電線用封止部材、ＰＩは冷媒管、１９は冷媒管用封止部材である。
【００２３】
図４に示すように、各仕切り板１３の前端下部には電線用封止部材１８を前側から押し込んで嵌め込むための取付凹部１３ａが形成されている。この取付凹部１３ａは、縦断面が略円形を成す第１取付部１３ａ１と、上部の縦断面が略半円形を成し第１取付部１３ａ１と連通した第２取付部１３ａ２と、第２取付部１３ａ２と連通する前端開放の差し込み口１３ａ３とを備える。
【００２４】
また、底板１ｂの前端には冷媒管用封止部材１９を前側から押し込んで嵌め込むための取付凹部１ｂ１が各単位室ＳＲに対応して形成されている。この取付凹部１ｂ１は、後部の横断面が略半円形を成し前端を開放している。
【００２５】
仕切り板用パッキン取付部材１４は横断面コ字形を成す部分の前側にパッキン差し込み溝１４ａを有し、仕切り板用パッキン１５はその後側に設けられた横断面Ｔ字形部分１５ａをパッキン差し込み溝１４ａに差し込むことにより仕切り板用パッキン取付部材１４に取り付けられている。また、仕切り板用パッキン取付部材１４は横断面コ字形部分にはネジ挿入孔ＩＨが上下に間隔をおいて複数個設けられている。図３及び図４からも分かるように、仕切り板用パッキン１５の下端を底板用パッキン１７と近接させるために、パッキン差し込み溝１４ａと仕切り板用パッキン１５は仕切り板用パッキン取付部材１４よりも下方に延びている。
【００２６】
底板用パッキン取付部材１６は平板状を成す部分の前側にパッキン差し込み溝１６ａを有し、底板用パッキン１７はその後側に設けられた縦断面Ｔ字形部分１７ａをパッキン差し込み溝１６ａに差し込むことにより底板用パッキン取付部材１７に取り付けられている。また、底板用パッキン取付部材１６の平板状部分にはネジ挿入孔ＩＨが左右に間隔をおいて複数個設けられており、底板１ｂの前端にはこのネジ挿入孔ＩＨに対応したネジ穴ＴＨが設けられている。
【００２７】
電線用封止部材１８及び冷媒管用封止部材１９は合成ゴムや合成樹脂から成るスポンジ材、例えば、ウレタン発泡材から同一外径の円柱形に形成されていて、図５（Ａ）に示すように電線ＣＡ，冷媒管ＰＩを保持する貫通孔１８ａ，１９ａ中心を有し、該貫通孔１８ａ，１９ａから外周面に至る渦巻き状スリット１８ｂ，１９ｂを有する。後に詳述するが、貫通孔１８ａ，１９ａは電線ＣＡ，冷媒管ＰＩを収容保持する部分として利用され、渦巻き状スリット１８ｂ，１９ｂは外周面から電線ＣＡ，冷媒管ＰＩを貫通孔１８ａ，１９ａに入れ込む部分として利用される。
【００２８】
以下に、図５（Ａ）〜図５（Ｃ）を参照して、電線ＣＡに電線用封止部材１８を取り付ける手順と、冷媒管ＰＩに冷媒管用封止部材１９を取り付ける手順について説明する。
【００２９】
電線ＣＡに電線用封止部材１８を取り付けるに際しては、図５（Ａ）に示すように渦巻き状スリット１８ｂの外周端近傍部分を指先で拡げてその隙間に電線ＣＡを差し込み、この後は、図５（Ｂ）及び図５（Ｃ）に示すように電線用封止部材１８を回す等して電線ＣＡを渦巻き状スリット１８ｂに沿って内側に移動させることにより電線ＣＡを貫通孔１８ａに到達させる。
【００３０】
電線用封止部材１８は全体が弾性を有しているので、電線ＣＡに電線用封止部材１８を取り付ける過程で電線用封止部材１８の形状が乱れても取付後は自らの弾性により元の状態或いはこれに近似した状態に戻ることになる。また、取付前の貫通孔１８ａの径は好ましくは電線ＣＡの径よりも小さく設定されているので、取付後の貫通孔１８ａの内面は電線ＣＡの外面に密着する。因みに、冷媒管ＰＩに冷媒管用封止部材１９を取り付ける場合の手順もこれと同じである。
【００３１】
以下に、図６（Ａ）〜図６（Ｂ）を参照して、冷媒管ＰＩに取り付けた冷媒管用封止部材１９を底板１ｂに組み込む手順について説明する。
【００３２】
冷媒管ＰＩに取り付けた冷媒管用封止部材１９を底板１ｂに組み込むに際しては、まず、図６（Ａ）に示すように冷媒管用封止部材１９を縦向きにして図中太線矢印方向に押し込んで該冷媒管用封止部材１９を取付凹部１ｂ１に圧縮状態で嵌め込む。このときに冷媒管用封止部材１９の形が乱れた場合でも、該冷媒管用封止部材１９を渦巻き状スリット１９ｂの巻き方向とは逆方向に回せば簡単に形を矯正して密着状態を保つことができる。また、貫通孔１９ａの内面が冷媒管ＰＩの外面に十分に密着していなくとも、前記の圧縮により貫通孔１９ａの内面を冷媒管ＰＩの外面に確実に密着させることができる。
【００３３】
次に、図６（Ｂ）に示すように底板用パッキン１７が取り付けられた底板用パッキン取付部材１６の平板状部分を底板１ｂの前端にあてがい、ネジ挿入孔ＩＨに止めネジＳＳを挿入して底板１ｂのネジ穴ＴＨにねじ込んで取り付ける。これにより、冷媒管用封止部材１９の取付凹部１ｂ１からはみ出ていた部分が底板用パッキン取付部材１６によってさらに押し込まれて圧縮され、冷媒管用封止部材１９の外周面が取付凹部１ｂ１の内面と底板用パッキン取付部材１６に密着して取付凹部１ｂ１が完全に封止される。
【００３４】
以下に、図７（Ａ）〜図７（Ｃ）を参照して、電線ＣＡに取り付けた電線用封止部材１８を仕切り板１３に組み込む手順について説明する。
【００３５】
電線ＣＡに取り付けた電線用封止部材１８を仕切り板１３に組み込むに際しては、まず、図７（Ａ）に示すように電線用封止部材１８を横向きにして図中太線矢印方向に押し込んで該電線用封止部材１８を取付凹部１３ａの第１取付部１３ａ１に圧縮状態で嵌め込む。このときに電線用封止部材１８の形が乱れた場合でも、該電線用封止部材１８を渦巻き状スリット１８ｂの巻き方向とは逆方向に回せば簡単に形を矯正して密着状態を保つことができる。また、貫通孔１８ａの内面が電線ＣＡの外面に十分に密着していなくとも、前記の圧縮により貫通孔１８ａの内面を電線ＣＡの外面に確実に密着させることができる。
【００３６】
次に、図７（Ｂ）に示すように別の電線用封止部材１８を横向きにして図中太線矢印方向に押し込んで該電線用封止部材１８を取付凹部１３ａの第１取付部１３ａ１に圧縮状態で嵌め込む。このときに電線用封止部材１８の形が乱れた場合でも、該電線用封止部材１８を渦巻き状スリット１８ｂの巻き方向とは逆方向に回せば簡単に形を矯正して密着状態を保つことができる。また、貫通孔１８ａの内面が電線ＣＡの外面に十分に密着していなくとも、前記の圧縮により貫通孔１８ａの内面を電線ＣＡの外面に確実に密着させることができる。
【００３７】
次に、図７（Ｃ）に示すように仕切り板用パッキン１５が取り付けられた仕切り板用パッキン取付部材１４の横断面コ字形部分を仕切り板１３の前端にあてがい、ネジ挿入孔ＩＨに止めネジＳＳを挿入して仕切り板１３にねじ込んで取り付ける。これにより、後者の電線用封止部材１８の取付凹部１３ａからはみ出ていた部分が仕切り板用パッキン取付部材１４によってさらに押し込まれて圧縮され、両電線封止部材１８の外周面が取付凹部１３ａの内面と仕切り板用パッキン取付部材１４に密着して取付凹部１３ａが完全に封止される。
【００３８】
このように、前記の封止部材１８，１９は電線ＣＡ，冷媒管ＰＩを保持する貫通孔１８ａ，１９ａを中心に有すると共に該貫通孔１８ａ，１９ａから外周面に至る渦巻き状スリット１８ｂ，１９ｂを有しているので、渦巻き状スリット１８ｂ，１９ｂに電線ＣＡ，冷媒管ＰＩを差し込んで該スリット１８ｂ，１９ｂに沿って移動させるだけで電線ＣＡ，冷媒管ＰＩに対する封止部材１８，１９の取り付けを簡単に行うことができる。また、封止部材１８，１９は弾性を有しているので、取り付け過程で封止部材１８，１９の形状が乱れても取付後は元の状態に戻すことができる。
【００３９】
さらに、冷媒管ＰＩに取り付けた冷媒管用封止部材１９を底板１ｂの取付凹部１ｂ１に圧縮状態で押し込んでから底板用パッキン取付部材１６を底板１ｂに取り付けることにより、冷媒管ＰＩに取り付けた冷媒管用封止部材１９を冷媒管ＰＩと一緒に底板１ｂに組み込むことができると共に、組み込み状態では冷媒管用封止部材１９の外周面を取付凹部１ｂ１の内面と底板用パッキン取付部材１６に密着させて取付凹部１ｂ１を完全に封止することができる。また、電線ＣＡに取り付けた電線用封止部材１８を仕切り板１３の取付凹部１３ａに圧縮状態で押し込んでから仕切り板用パッキン取付部材１４を仕切り板１３に取り付けることにより、電線ＣＡに取り付けた電線用封止部材１８を電線ＣＡと一緒に仕切り板１３に組み込むことができると共に、組み込み状態では電線用封止部材１８の外周面を取付凹部１３ａの内面と仕切り板用パッキン取付部材１４に密着させて取付凹部１３ａを完全に封止することができる。
【００４０】
さらに、冷媒管ＰＩに取り付けた冷媒管用封止部材１９を底板１ｂの取付凹部１ｂ１に向かって押し込むとき、または、電線ＣＡに取り付けた電線用封止部材１８を仕切り板１３の取付凹部１３ａに向かって押し込むときに、封止部材１８，１９の形が乱れた場合でも、該封止部材１８，１９を渦巻き状スリット１８ｂ，１９ｂの巻き方向とは逆方向に回すことにより簡単に形を矯正することができるので、形状の乱れを原因として気密性が低下することを防止して封止能力を高めることができる。
【００４１】
以上により、冷媒管ＰＩや電線ＣＡを商品収納室の底板１ｂや仕切り板１３を通じて引き回す際の封止作業を簡単且つ確実に行うことができ、しかも、各単位室ＳＲ内の商品温度の変動やエネルギーコストの増加を確実に防止することができる。
【００４２】
尚、前述の説明では、冷媒管用封止部材１９を底板１ｂに１個取り付けるものを示したが、図８（Ａ）に示すように２つの取付凹部１ｂ１が併設された形状の取付凹部１ｂ１’を用いて、２個の冷媒管用封止部材１９及び冷媒板ＰＩを底板１ｂに取り付けるようにしてもよい。また、電線用封止部材１８を仕切り板１３の取付凹部１３ａに２個取り付けるものを示したが、図８（Ｂ）に示すように取付凹部１３ａから第２取付部１３ａ２を除外した形状の取付凹部１３ａ’を用いて、１個の電線用封止部材１８及び電線ＣＡを仕切り板１３に取り付けるようにしてもよい。要するに、底板１ｂに取り付ける冷媒管用封止部材１９の個数と仕切り板１３に取り付ける電線用封止部材１８の個数は各々の取付凹部の形状を変更することにより任意に増減可能である。勿論、底板１ｂに電線用封止部材１８を取り付けたり、仕切り板１３に冷媒管封止部材１９を取り付けることも可能である。
【００４３】
また、前述の説明では、電線用封止部材１８の長さを仕切り板１３の厚さにほぼ一致させ、且つ、冷媒管用封止部材１９の長さを底板１ｂの厚さにほぼ一致させてあるが、両者の外径が同じであるので、電線用封止部材１８をそのまま冷媒管用封止部材１９として利用することもできるし、冷媒管用封止部材１９をそのまま電線用封止部材１８として利用することもできる。勿論、両封止部材の長さを同じにして共用とすることも可能で、このようにすれば電線用及び冷媒管用の２種類の封止部材を用意する面倒もなくコスト的にも有利である。
【００４４】
さらに、前述の説明では、封止部材１８，１９を利用して電線ＣＡと冷媒管ＰＩを封止状態で取り付けるものを例示したが、電線ＣＡ及び冷媒管ＰＩ以外のものを封止状態で取り付ける場合でも本発明は適用でき、前記同様の作用効果を得ることができる。
【図面の簡単な説明】
【００４５】
【図１】本発明を適用可能な自動販売機を一例を示す自動販売機の側面断面図である。
【図２】図２は図１のａ−ａ線断面図である。
【図３】図１に示した自動販売機に本発明を適用した具体例を示す配線・配管部分の斜視図である。
【図４】図３の分解斜視図である。
【図５】冷媒管と電線を封止部材に取り付ける手順を示す図である。
【図６】冷媒管に取り付けた封止部材を底板に組み込む手順を示す図である。
【図７】電線に取り付けた封止部材を仕切り板に組み込む手順を示す図である。
【図８】封止部材の取付形態の変形例を示す図である。
【符号の説明】
【００４６】
ＳＲ…単位室、ＭＲ…機械室、ＣＡ…電線、ＰＩ…冷媒管、１ｂ…商品収納室の底板、１ｂ１，１ｂ１’…取付凹部、１３…仕切り板、１３ａ，１３ａ’…取付凹部、１４…仕切り板用パッキン取付部材、１６…底板用パッキン取付部材、１８…電線用封止部材、１８ａ…貫通孔、１８ｂ…渦巻き状スリット、１９…冷媒管用封止部材、１９ａ…貫通孔、１９ｂ…渦巻き状スリット。
【図１】
2005135261.tif 000003
【図２】
2005135261.tif 000004
【図３】
2005135261.tif 000005
【図４】
2005135261.tif 000006
【図５】
2005135261.tif 000007
【図６】
2005135261.tif 000008
【図７】
2005135261.tif 000009
【図８】
2005135261.tif 000010